(57)【特許請求の範囲】
【請求項１】
少なくともシリンダブロック側に配置されるアンダープレートと、シリンダヘッド側に配置されるアッパープレートとを備えたガスケットにおいて、
上記アッパープレートとアンダープレートとのいずれか一方にビード部と同方向に突出する識別用ビード部を設けたことを特徴とするガスケット。
【請求項２】
上記識別用ビード部は、上記アッパープレート又はアンダープレートに形成したビード部のうち最も外側となる外側ビード部のさらに外側に形成されていることを特徴とする請求項１に記載のガスケット。
【請求項３】
上記アンダープレートとアッパープレートとの間に、中間プレートが設けられていることを特徴とする請求項１又は請求項２に記載のガスケット。
【発明の詳細な説明】
【０００１】
【産業上の利用分野】
本発明は、ガスケットの改良に関する。
【０００２】
【従来の技術】
従来一般に、ガスケットは、シリンダブロック側に配置されるアンダープレートと、シリンダヘッド側に配置されるアッパープレートとを備えている。
また必要に応じて、上記アンダープレートとアッパープレートとの間に中間プレートを設ける場合もある。
そしてこの種のガスケットでは、アンダープレートにシリンダブロック側に突出するビード部を多数形成し、またアッパープレート側にもシリンダヘッド側に突出するビード部を多数形成している。
【０００３】
【発明が解決しようとする課題】
しかしながら、上記アンダープレートとアッパープレートとは形状が同一もしくは殆ど同一のため、エンジンの組立ての際にガスケットのアンダープレート側とアッパープレート側とを過って逆に組み付ける危険がある。
このような組み付けミスを防止するために、従来は、アンダープレート、中間プレートおよびアッパープレートとをカシメる鳩目の両端の鍔部の一方と他方の大きさを異ならせることで、鍔部の大小を識別して積層プレートのアンダープレート側とアッパープレート側とを識別するようにしていた（特開平６−３３７０７０号公報）。
しかしながら、ガスケットのアンダープレート側とアッパープレート側とを識別するには、ガスケットを正逆方向に回転させて正反対に位置する鳩目の両端の鍔部を確認しなければらならなかった。
本発明はそのような事情に鑑み、従来に比較して容易にアンダープレート側とアッパープレート側とを識別することができるガスケットを提供するものである。
【０００４】
【課題を解決するための手段】
すなわち本発明は、少なくともシリンダブロック側に配置されるアンダープレートと、シリンダヘッド側に配置されるアッパープレートとを備えたガスケットにおいて、
上記アッパープレートとアンダープレートとのいずれか一方にビード部と同方向に突出する識別用ビード部を設けたことを特徴とするものである。
【０００５】
【作用】
上述した構成によれば、アンダープレートとアッパープレートのいずれか一方に識別用ビード部を設けているので、ガスケットの片面を見たときに識別用ビード部が有るか又は無いかによって、瞬時にアンダープレートであるか又はアッパープレートであるかを識別することができる。
それにより、従来に比較して容易にガスケットのアンダープレート側とアッパープレート側を識別することができる。
【０００６】
【実施例】
以下図示実施例について本発明を説明すると、図１、図２において、１は図示しないシリンダブロックとシリンダヘッドの間に介在されて該両部材の間をシールするガスケットの左上のコーナー部分である。
ガスケット１は、図２に示すように、下方に配置されて上記シリンダブロックの上端面に当接する相対的に薄肉なアンダープレート２と、上方に配置されて上記シリンダヘッドの下端面に当接するアッパープレート３と、上記アンダープレート２とアッパープレート３の間に介在された中間プレート４とを備えており、これらアンダープレート２、中間プレート４およびアッパープレート３は所定箇所を図示しない複数の鳩目によってカシメられて一体になっている。
またガスケット１の所定位置には、シリンダヘッドおよびシリンダブロックに形成された油孔およびボルト孔、シリンダボア、さらに水孔に位置と大きさを合わせて形成された油用貫通孔６およびボルト用貫通孔７、燃焼室用貫通孔（図示せず）、さらに水用貫通孔（図示せず）が設けられている。
そしてアッパープレート３には、上記水用貫通孔を除く、油用貫通孔６、ボルト用貫通孔７および燃焼室用貫通孔のそれぞれを囲繞する内側ビード部８と、これら内側ビード部８と上記水用貫通孔を囲繞する外側ビード部９とを備えており、上記内側ビード部８および外側ビード部９との頂部をシリンダヘッドの下端面に弾接させるようになっている。
他方、上記アンダープレート２もアッパープレート３と同様に、水用貫通孔を除く、油用貫通孔、ボルト用貫通孔および燃焼室用貫通孔のそれぞれを囲繞する内側ビード部（図示せず）と、これら内側ビード部と水用貫通孔を囲繞する外側ビード部（図示せず）とを備えており、上記内側ビード部および外側ビード部との頂部をシリンダブロックの上端面に弾接させるようになっている。
【０００７】
ところで、上記アンダープレート２とアッパープレート３とは同一か若しくは殆ど同じに形成されているので、このままではアンダープレート２とアッパープレート３の識別が困難である。
しかして本実施例では、アンダープレート２とアッパープレート３の識別を容易にするために、上記アッパープレート３の左上のコーナー部分に内側ビード部８および外側ビード部９のシール性を損なわないように、該内側ビード８および外側ビード部９と同じか若しくはそれよりも若干低い突起を形成し、この突起を識別用ビード部１１としたものである。
この識別用ビード部１１は、アッパープレート３を押圧して内側ビード部８および外側ビード部９を形成する際に同時に形成することができるので、それにより製造コストが上昇したり製造工程が増えることはない。
ところで本実施例では、アッパープレート３に識別用ビード部１１を設けているがこれに限定されるものではなく、アッパープレート３と同様に内側ビード部８と外側ビード部９を有するアンダープレート２に形成してもよいことは勿論であり、その場合にはアッパープレート３には識別用ビード部１１を設けてはならない。
【０００８】
上述した構成によれば、識別用ビード部１１がある方がアッパープレート３であり、また識別用ビード部１１がない方がアンダープレート２なので、ガスケット１の片面を見ただけで瞬時にアンダープレート２側かアッパープレート３側かを識別することができる。
また、上記識別用ビード部１１をアッパープレート３の左上のコーナー部分だけに設けているので、それにより識別用ビード部１１によりガスケット１の左右の方向も識別することができる。
【０００９】
なお本実施例では、識別用ビード部１１を外側ビード部９よりも外側に形成していたがこれに限定されるものではなく、外側ビード部９よりも内側に形成してもよいが、その場合には識別用ビード部１１を内側ビード８および外側ビード部９よりも低くするのが望ましい。
また、上記中間プレート４は必ずしも一枚から構成されている必要はなく、複数枚から構成されていてもよい。
さらに、上記ガスケット１はアンダープレート２とアッパープレート３、中間プレート４とを備えていたがこれに限定されるものではなく、中間プレート４を無くしてアンダープレート２とアッパープレート３とから構成されていもよい。
【００１０】
【発明の効果】
以上のように、本発明によれば、従来に比較して容易にガスケットのアンダープレート側とアッパープレート側とを識別することができるという効果が得られる。
【図面の簡単な説明】
【図１】本発明の一実施例を示すガスケット１の左上のコーナー部分の拡大正面図。
【図２】図１のＩＩ−ＩＩ線に沿う断面図。
【符号の説明】
１…ガスケット                    ２…アンダープレート
３…アッパープレート              ４…中間プレート
８…内側ビード部                  ９…外側ビード部
１１…識別用ビード部
【図１】
0004116142.tif 000002
【図２】
0004116142.tif 000003